(57)【要約】【課題】乗りかご内に据え付けることができて、振動が側板に伝達されることを抑制できる、エレベータ用空調装置の制振構造を提供する。【解決手段】乗りかご２の側板１０に設けられている取付用ブラケット３０と、この取付用ブラケット３０に緩衝用連結部材４３を介して取り付けられた一体型の空調装置本体４０とを備え、空調装置本体４０の振動を緩衝用連結部材４３で吸収するようにした。【選択図】図２
2008037616.tif 000002
【特許請求の範囲】
【請求項１】
エレベータの乗りかごの側板に形成された空気流通部と、前記空気流通部を挟む両側の前記側板に形成された取付固定具挿入部と、前記空気流通部を挟む両側の前記側板のかご室外側の面に配置された外側補強部材と、前記空気流通部を挟む両側の前記側板の室内側の面に配置され、前記外側補強部材に固定された取付用ブラケットと、前記取付用ブラケットに取り付けられた空調装置本体と、を備えるエレベータ用空調装置の制振構造であって、
前記取付用ブラケットは、前記側板に対して前記乗りかご室内側へ突出する腕部を備え、前記空調装置本体は前記腕部上に緩衝用連結部材を介して設けられていることを特徴とするエレベータ用空調装置の制振構造。
【請求項２】
前記空調装置本体は、両側にそれぞれ本体側ブラケットを備え、前記本体側ブラケットが前記緩衝用連結部材を介して前記腕部に設けられていることを特徴とする請求項１記載のエレベータ用空調装置の制振構造。
【請求項３】
前記本体側ブラケットは、前記空調装置本体の両側上部に設けられていることを特徴とする請求項２記載のエレベータ用空調装置の制振構造。
【請求項４】
前記本体側ブラケットは、前記空調装置本体の両側で当該空調装置本体の重心が位置する高さ近傍に配置されていることを特徴とする請求項２記載のエレベータ用空調装置の制振構造。
【請求項５】
前記緩衝用連結部材は、前記空調装置本体の底部と前記腕部との間に配置されていることを特徴とする請求項１記載のエレベータ用空調装置の制振構造。
【発明の詳細な説明】
【技術分野】
【０００１】
本発明はエレベータ用空調装置に関し、さらに詳しくは、乗りかご室内に据え付けた空調装置の制振構造に関する。
【背景技術】
【０００２】
エレベータの乗りかご用空調装置としては、乗りかご外の上部に室内ユニットと室外ユニットとを配置したもの（例えば、特許文献１参照）が知られている。この他に、空調ユニットが乗りかごの上に配置され、空調ユニットからダクトを介して連通するように接続された吹き出し装置を乗りかご室内に備えるものも知られている（例えば、特許文献２参照）。この特許文献２に開示された乗りかご用空調装置では、クッション材を介在して、乗りかごの側板と照明装置との間に、吹き出し装置が取り付けられている。
【特許文献１】特開平５−３１９７４３号公報
【特許文献２】特開２００５−２８０９０１号公報
【発明の開示】
【発明が解決しようとする課題】
【０００３】
しかしながら、上記した従来技術のように、乗りかご外の上部に空調ユニットなどを載置する場合、乗りかごが昇降路の最上位置にあるときの昇降路の天井面と乗りかご上部との間の寸法（オーバーヘッド寸法）の変更を余儀なくされる場合があった。また、最上位置での乗りかご外の上部の省スペース化を図る必要があるため、乗りかご上への空調ユニットなどの設置には制約があった。また、乗りかご外の上部には、各種の設備が搭載されているため、さらに空調ユニットなどを追加配置することは設計上の問題点があった。
【０００４】
そこで、オーバーヘッド寸法の変更を避けるため、室内外機一体型の空調装置を乗りかご室内に取り付けようとした場合、乗りかごの側板へ振動が伝達されて乗りかご内に振動・騒音が発生することが懸念されていた。
【０００５】
本発明の目的は、乗りかご内に据え付けることができて、振動が側板に伝達されることを抑制できる、エレベータ用空調装置の制振構造を提供することにある。
【課題を解決するための手段】
【０００６】
本発明の特徴は、エレベータの乗りかごの側板に形成された空気流通口と、空気流通口を挟む両側の側板に形成された取付固定具挿入口と、空気流通口を挟む両側の側板の室外側の面に配置された外側補強部材と、空気流通口を挟む両側の側板の室内側の面に配置され、外側補強部材に固定された取付用ブラケットと、取付用ブラケットに取り付けられた、一体型の空調装置本体と、前記空調装置本体を覆うカバーと、を備えるエレベータ用空調装置の制振構造であって、取付用ブラケットは、側板に対して前記乗りかご室内側へ突出する腕部を備え、空調装置本体は腕部上に緩衝用連結部材を介して設けられていることを要旨とする。
【発明の効果】
【０００７】
本発明によれば、乗りかご内に空調装置本体を据え付けた場合に、空調装置本体と側板との間で振動が伝達されることを抑制でき、騒音などの不具合が発生することを防止できる。
【発明を実施するための最良の形態】
【０００８】
以下、本発明の実施の形態に係るエレベータ用空調装置の制振構造の詳細を図面に基づいて説明する。
【０００９】
図１は本発明の実施の形態に係る制振構造を適用して取り付けられたエレベータ用空調装置（以下、空調装置という。）１を示す斜視図であり、乗りかご２の室内を示している。本実施の形態において、空調装置１は、乗りかご２の側板１０の上部に据え付けられている。なお、本実施の形態では、空調装置１をドアの側方に位置する側板に配置したが、ドアと対向する背面側の側板（背面板）に据え付けてもよい。また空調装置１は、室内外機が一体化されたものである。
【００１０】
まず、本実施の形態に係るエレベータ用空調装置の制振構造を適用した空調装置１の構成を説明する。空調装置１は、図３に示す、乗りかご２の側板１０に形成された空気流通口１１Ａ，１１Ｂと、これら空気流通口１１Ａ，１１Ｂを挟む両側の側板１０に形成された取付固定具挿入口１２と、図２に示す、外側補強部材２０と、側板１０の室内側の面に配置され、外側補強部材２０と共に側板１０に固定された取付用ブラケット３０と、この取付用ブラケット３０に固定された一体型の空調装置本体４０と、この空調装置本体４０を覆うカバー５０と、を備えて大略構成されている。
【００１１】
（側板）
側板１０の裏面側には、上下方向に沿って補強枠部材１３が設けられている。本実施の形態では、強度を確保するために、この補強枠部材１３を切断せずに残している。このため、補強枠部材１３が設けられた領域を残して２つの分離された空気流通口１１Ａ，１１Ｂが形成されている。なお、本実施の形態では、側板１０に形成された空気流通口１１Ａ，１１Ｂの高さは、乗りかご２の床面からカバー５０の下端部までの高さが、１８５ｃｍ以上の高さに設定されている。
【００１２】
本実施の形態において、上記した取付固定具挿入口１２は、図１および図３に示すように、空気流通口１１Ａおよび空気流通口１１Ｂを挟む両側（水平方向両側）にそれぞれ上下に沿って２つ開口されている。
【００１３】
（外側補強部材）
外側補強部材２０は、長手方向に対して直交する方向で切断した断面が例えばコ字状のチャネル鋼材でなり、側板１０の裏面側に当接する添板部２１に上記取付固定具挿入口１２と対応する穴（図示省略する）が形成され、この穴にボルト２２の先端部が側板１０の裏面側に当接面から突出する状態でボルト２２の頭部が添板部２１に固定されている。このため、外側補強部材２０を側板１０の外側面に位置決めして、ボルト２２を取付固定具挿入口１２に直ちに挿入できるため作業性がよく、またボルト２２や外側補強部材２０が昇降路内に落下することを抑制できる。なお、本実施の形態では、ボルト２２が添板部２１に固定されているが、固定されていなくともよい。
【００１４】
（取付用ブラケット）
取付用ブラケット３０は、図２、図４、および図５に示すように、側板１０の室内側の面に当接された板状の取付部３１と、取付部３１の上端で折り曲げられてこの取付部３１と直角をなす腕部３２とを有する。取付部３１の下端部は、腕部３２とほぼ平行をなすように室内側に折り曲げられたカバー取付片３３が形成されている。このカバー取付片３３には、ねじ穴３３Ａが形成されている。取付部３１には、外側補強部材２０のボルト２２と対応する位置にボルト挿通口としての一対の取付穴３１Ａ，３１Ａが開設されている。取付用ブラケット３０は、側板１０から突出する外側補強部材２０のボルト２２を取付部３１の取付穴３１Ａに通し、ボルト２２にナット２３を螺合させることにより確実に固定されている。
【００１５】
腕部３２上面における取付部３１の近傍には、カバー係止片３４が設けられている。このカバー係止片３４の下部には、嵩上げのためにコ字状に折り曲げられた部分を有する。腕部３２の先端部は、下方に折り曲げられた補強片取付部３５が形成されている。補強片取付部３５とカバー係止片３４の中間部には、Ｌ字状に折り曲げられた補強片３６が渡るように固定されている。この補強片３６は、カバー係止片３４のぐらつきを防止する補強作用を有する。この取付用ブラケット３０の取付部３１および腕部３２には、チャネル材のような補強構造を有している。腕部３２には、所定間隔で一対の取付穴３２Ａ，３２Ａが開設されている。
【００１６】
（空調装置本体）
空調装置本体４０は、一体型の空調装置であり、側板１０と対向する裏面側で熱交換用空気の流通を行う。この空調装置本体４０の前面には、下部に冷却風を吹き出す吹き出し口と、上部に乗りかご室内の空気を吸い込む吸気口とがある。
【００１７】
図２、図４、および図５に示すように、空調装置本体４０の両側部には、水平方向沿ってＬ字状のチャネル材でなる本体側ブラケット（以下、単にブラケットという。）４１が固定されている。図４に示すように、このブラケット４１の水平板部４２には、上記腕部３２に形成した取付穴３２Ａ，３２Ａと対応する位置に一対の取付穴４２Ａ，４２Ａが開設されている。
【００１８】
空調装置本体４０の裏面側には、図示しない空気流通口に図示しないフィルタが配置され、図４に示すように、パッキン４８が空調装置本体４０裏面の空気流通口ならびに側板１０に形成された空気流通口１１Ａ，１１Ｂを取り囲むように配置されている。なお、このパッキン４８は、空調装置本体４０の揺動を吸収できる程度に幅寸法が設定されている。
【００１９】
（緩衝用連結部材を用いた制振構造）
図４に示すように、ブラケット４１を腕部３２に搭載することにより、空調装置本体４０を取付用ブラケット３０に取り付けることができるが、本実施の形態に係る制振構造では、ブラケット４１と腕部３２との間に、緩衝用連結部材４３が介在される。この緩衝用連結部材４３は、中間に緩衝部材４４が設けられ、緩衝部材４４の両側に互いに同軸的に配置されたボルト部４５が設けられている。なお、緩衝部材４４としては、シリコーンを主原料とする非常にやわらかい特異な分子構造を有するゲル状素材（α−ゲル：登録商標）を可撓性を有する樹脂シートで封止してなるものを用いる。図５に示すように、緩衝用連結部材４３は、両側のボルト部４５が、腕部３２の取付穴３２Ａと水平板部４２の取付穴４２Ａに挿通され、それぞれワッシャ４６を介してナット４７で緊締されている。なお、本実施の形態に係る制振構造では、ゲル状素材を用いた緩衝部材４４を用いたが、ゴム材、バネ部材など各種の緩衝機能を有するものを用いることができる。
【００２０】
そして、本実施の形態では、空調装置本体４０の両側部において、好ましくは空調装置本体４０の重心が存在する位置もしくはその近傍の側方近傍にブラケット４１が配置されている。このため、空調装置本体４０の図示しないコンプレッサなどの振動を緩衝用連結部材４３の緩衝部材４４で有効に振動吸収する。このため、空調装置本体４０の振動が取付用ブラケット３０を介して側板１０側へ伝達されることを防止できる。特に、本実施の形態のように緩衝部材４４としてα−ゲル（登録商標）を用いることにより振動を大幅に吸収することが可能となる。
【００２１】
（カバー）
図１および図２に示すように、カバー５０は、空調装置本体４０の裏面以外を覆う筐体であり、空調装置本体４０の前面に設けられた冷却風を吹き出す吹き出し口（図示省略する。）と吸気口（図示省略する。）とに対応した領域に、複数の穴が集合して形成された、吹き出し領域５１と吸気領域５２とを有する。
【００２２】
このカバー５０は、図２に示すように、上部壁部５３の側板１０近傍の両側位置には、上記取付用ブラケット３０の上部に設けられたカバー係止片３４に引っ掛けるＬ字状のフック部５４が設けられている。また、カバー５０の底部壁部の側板１０近傍の両側位置には、取付用ブラケット３０の下部に設けられたカバー取付片３３に重なる取付片５６が設けられている。この取付片５６には、カバー取付片３３に形成されたねじ穴３３Ａに合致するねじ穴（図示省略する。）が形成されている。取付片５６のねじ穴とカバー取付片３３のねじ穴３３Ａを合わせてねじ５７を螺合させることにより、カバー５０を取付用ブラケット３０から外れないように固定することができる。
【００２３】
このような空調装置１では、取付用ブラケット３０の腕部３２の上に緩衝用連結部材４３を介して空調装置本体４０側のブラケット４１を結合しているため、空調装置本体４０に含まれている例えばコンプレッサなどの振動が乗りかご２へ伝わることを抑制できる。このため、エレベータ用空調装置１からの騒音を低減することができる。したがって、本実施の形態に係るエレベータ用空調装置の制振構造とすることにより、乗りかごの乗客は騒音で煩わされることなく、涼しく快適にエレベータを利用すること可能となる。
【００２４】
特に、本実施の形態では、従来のように乗りかごの天井近傍に冷却風の吹き出し口があり冷却風による冷ややかさが感じにくかったものに比較して、本実施の形態では、天井よりも低い側板１０に設けた空調装置本体４０から吹き出す冷却風を直接乗客に当て易い。このように、従来に比べてエレベータの乗った場合の涼しさを、本実施の形態のエレベータ用空調装置の制振構造を適用すれば実現することができる。
【００２５】
（その他の実施の形態）
上述した実施の形態の開示の一部をなす論述および図面はこの発明を限定するものであると理解すべきではない。この開示から当業者には様々な代替実施の形態、実施例および運用技術が明らかとなろう。
【００２６】
例えば、上記した実施の形態では、空調装置本体４０の両側部において空調装置本体４０の重心位置の側方近傍（側部の中間位置もしくは上部より）にブラケット４１を配置したが、図８に示すように、空調装置本体４０の両側部の上方まで伸びたブラケット６０を用いて空調装置本体４０の上部（上方）で空調装置本体４０を吊り下げる構成とすることも、本発明の適用範囲である。なお、図８において、上記した実施の形態と同様な部分には同一の符号を付している。
【００２７】
また、本発明のその他の実施の形態としては、図９に示すように、取付用ブラケット３０の腕部３２の上に空調装置本体４０の底部を載せる構成としてもよい。この場合、腕部３２と底部との間に図９に示すような緩衝用連結部材４３を介在させればよい。なお、腕部３２に空調装置本体４０を搭載する場合は、空調装置本体４０の上部を側板１０へ固定する部材など（図示省略する。）が必要となる。
【図面の簡単な説明】
【００２８】
【図１】本発明の実施の形態に係るエレベータ用空調装置の制振構造を適用した空調装置の取付例を示す斜視図。
【図２】本発明の実施の形態に係るエレベータ用空調装置の制振構造を適用した空調装置のカバーを縦に切断した状態を示す断面図。
【図３】本発明の実施の形態に係るエレベータ用空調装置の制振構造を適用した空調装置を取り付ける場合に側板に形成した空気流通口および取付固定具挿入口を示す平面図。
【図４】本発明の実施の形態に係るエレベータ用空調装置の制振構造を適用した空調装置のカバーを除いた分解側面図。
【図５】本発明の実施の形態に係るエレベータ用空調装置の制振構造を適用した空調装置のカバーを除いた側面図。
【図６】本発明の実施の形態に係るエレベータ用空調装置の制振構造を適用した空調装置のカバーを除いた正面図。
【図７】本発明の実施の形態に係るエレベータ用空調装置の制振構造を適用した空調装置のカバーを除いた平面図。
【図８】本発明のその他の実施の形態に係るエレベータ用空調装置の制振構造を適用した空調装置カバーを縦に切断した状態を示す断面図。
【図９】本発明のさらにその他の実施の形態に係るエレベータ用空調装置の制振構造を適用した空調装置カバーを縦に切断した状態を示す断面図。
【符号の説明】
【００２９】
１  空調装置
１０  側板
１１Ａ，１１Ｂ  空気流通口
１３  補強枠部材
２０  外側補強部材
３０  取付用ブラケット
３１  取付部
３２  腕部
３３  カバー取付片
３４  カバー係止片
４０  空調装置本体
４１  ブラケット
４３  緩衝用連結部材
４４  緩衝部材
５０  カバー
【図１】
2008037616.tif 000003
【図２】
2008037616.tif 000004
【図３】
2008037616.tif 000005
【図４】
2008037616.tif 000006
【図５】
2008037616.tif 000007
【図６】
2008037616.tif 000008
【図７】
2008037616.tif 000009
【図８】
2008037616.tif 000010
【図９】
2008037616.tif 000011